(57)【要約】  ドア（１００）に設けられたドアフック（１）と、ドアフロントパネル（２００）に設けられたインターロック部品（２）及び少なくとも１つのマイクロスイッチ（３）とを含み、インターロック部品は、ブラケット（２１）と、ブラケット（２１）に設けられブラケット（２１）に対して回転可能なカム（２２）と、カム（２２）をブラケット（２１）において復帰するための弾性部材（２３）とを含み、ドアフック（１）は、位置決め板（１１）とフック穴（１０）を有し、カム（２２）はドアフック（１）のフック穴（１０）と係合可能なロックフック（２２０）を有し、マイクロスイッチ（３）はブラケット（２１）に両側を固定され、カム（２２）はトリガーボタン（３０）に当接する構造を有し、該マイクロ波調理装置は前記インターロックスイッチを採用する。該マイクロ波調理装置のドアインターロックスイッチ、及びマイクロ波調理装置のドア（１００）とドアフロントパネル（２００）との間の距離が制御可能であることで、マイクロ波の漏れ、蒸気の漏れ、及びドア（１００）とドアフロントパネル（２００）との間に距離が近すぎることにより発生される火花が回避され、その安全性が高い。【選択図】図１
2016500802.tif 000002
【特許請求の範囲】
【請求項１】
ドアとドアフロントパネルとの間のロックに用いられるドアインターロックスイッチにおいて、
前記ドアに設けられたドアフックと、前記ドアフロントパネルに設けられたインターロック部品及び少なくとも１つのマイクロスイッチとを含み、
前記インターロック部品は、ブラケットと、前記ブラケットに設けられ前記ブラケットに対して回転可能なカムと、前記カムを前記ブラケットにおいて復帰させるための弾性部材とを含み、
前記ドアフックには、位置決め板及びフック穴が設けられ、
前記カムには、前記ドアフックのフック穴と係合するためのロックフックが設けられ、
前記マイクロスイッチには、トリガーボタンが設けられ、
前記ブラケットの両側には、前記マイクロスイッチを取り付けるための固定構造が設けられ、
前記カムには、前記マイクロスイッチのトリガーボタンに当接するための突起部とアーク形タッチ部が設けられている、
ことを特徴とするドアインターロックスイッチ。
【請求項２】
前記ブラケットの一側に円軸が突出し、
前記カムは、前記円軸を外嵌する軸スリーブを含み、
前記カムは、前記軸スリーブ及び前記円軸によって前記ブラケットに回転可能に接続されている、
ことを特徴とする請求項１に記載のドアインターロックスイッチ。
【請求項３】
前記ブラケットの円軸の端面に近接した位置には抜け防止バンプが設けられ、
前記カムの軸スリーブの内側には前記抜け防止バンプを通過させるための溝が設けられ、
前記軸スリーブは前記円軸を外嵌し、
且つ前記バンプは、前記軸スリーブの外側にある、
ことを特徴とする請求項２に記載のドアインターロックスイッチ。
【請求項４】
前記カムには、前記ドアフックのフック穴板の先端と当接可能な当接板が設けられ、
前記当接板と前記ロックフックとの間に開口溝が形成され、
前記ブラケットは、「Ｔ」形穴が設けられた先端板を有し、
前記カムのロックフック及び当接板は、前記「Ｔ」形穴に正対して設けられている、
ことを特徴とする請求項１に記載のドアインターロックスイッチ。
【請求項５】
前記ブラケットは、さらにアーク形穴を有し、前記アーク形タッチ部は前記アーク形穴の中に突き通されて配置されている、
ことを特徴とする請求項１に記載のドアインターロックスイッチ。
【請求項６】
前記固定構造は、横方向に突出する前記ブラケットの２つのピン及び２つのクリップを含み、
各前記マイクロスイッチのそれぞれには前記ピンに互いに合致する２つの軸穴が設けられ、
前記マイクロスイッチは、前記軸穴によって前記ピンを外嵌し、
前記クリップは、前記マイクロスイッチの両側を係合している、
ことを特徴とする請求項１に記載のドアインターロックスイッチ。
【請求項７】
前記弾性部材はねじりバネであり、
前記ブラケットには第１接続穴が設けられ、
前記カムには第２接続穴が設けられ、
前記ねじりバネは、一端が前記第１接続穴に挿着され、他端が前記第２接続穴に挿着されている、
ことを特徴とする請求項１乃至６のいずれか１項に記載のドアインターロックスイッチ。
【請求項８】
ドアとドアフロントパネルを備えるマイクロ波調理装置において、
前記ドアと前記ドアフロントパネルは、ドアインターロックシステムによりロック制御され、
前記インターロックシステムは、前記ドアインターロックスイッチの少なくとも１つを含む、
ことを特徴とするマイクロ波調理装置。
【請求項９】
前記ドアインターロックスイッチは２つであり、
その１つの前記ドアインターロックスイッチには２つのマイクロスイッチが設けられ、
もう１つの前記ドアインターロックスイッチには１つのマイクロスイッチが設けられ、
前記３つのマイクロスイッチのうち、いずれか２つが常開マイクロスイッチで、他の１つが常閉マイクロスイッチであり、
前記ドアが開かれると、前記カムの突起部又はアーク形タッチ部が前記ねじりバネの作用によりそれぞれの前記マイクロスイッチのトリガーボタンに接触せず、２つの常開マイクロスイッチがオン状態になり、常閉マイクロスイッチがオフ状態になり、この時に、システム全体がパワーオフ状態になり、マイクロ波調理装置が作動せず、
前記ドアが閉じられると、前記ドアフックが前記カムに当接し、それぞれの前記マイクロスイッチのトリガーボタンがタッチされ、そのうちの常閉マイクロスイッチのトリガーボタンが先にタッチされることで、常閉マイクロスイッチがオンになり、更に、２つの常開マイクロスイッチがオフになり、マイクロ波調理装置がこの時に待機状態になる、
ことを特徴とする請求項８に記載のマイクロ波調理装置。
【請求項１０】
前記ドアインターロックスイッチは２つであり、
それぞれの前記ドアインターロックスイッチにそれぞれ２つのマイクロスイッチが設けられ、
そのうちの１つが常閉マイクロスイッチで、もう１つが常開マイクロスイッチであり、
前記ドアが開かれると、前記カムの突起部又はアーク形タッチ部が前記ねじりバネの作用によりそれぞれの前記マイクロスイッチに接触せず、２つの常開マイクロスイッチがオン状態になり、２つの常閉マイクロスイッチがオフ状態になり、この時に、システム全体がパワーオフ状態になり、マイクロ波調理装置が作動せず、
前記ドアが閉じられると、前記ドアフックが前記カムに当接し、各前記マイクロスイッチのトリガーボタンがタッチされ、そのうちの常閉マイクロスイッチのトリガーボタンが先にタッチされることで、２つの常閉マイクロスイッチがオンになり、さらに２つの常開マイクロスイッチがオフになり、マイクロ波調理装置がこの時に待機状態になる、
ことを特徴とする請求項８に記載のマイクロ波調理装置。
【発明の詳細な説明】
【技術分野】
【０００１】
本発明は、マイクロ波調理装置の生産技術分野に属し、より具体的に、マイクロ波調理装置のドアインターロックスイッチ及びマイクロ波調理装置に関する。
【背景技術】
【０００２】
従来のマイクロ波調理装置、例えば、電子レンジ、マイクロ波オーブン、マイクロ波スチームオーブンなどのドアロックは、通常、ドアシール及びその突起部、インターロックブラケット、インターロックレバー、インターロックスプリングを含むドアヒンジ構造を採用することが一般的である。しかし、この構造には、ドアヒンジシステムの引張力が不十分な場合、ヒンジシステムの組み立てやサイズの不良、長期間使用後の磨耗、フロントパネルとドアとの間の不安定な隙間、そのことによるマイクロ波の漏れ、蒸気の漏れ、フロントパネルとドアとの間に発生する火花などの現象、という欠陥がある。その原因は、フロントパネルとドアとの間が適当な位置で適当な引張力による固定を行っておらず、ドアとフロントパネルとの間の隙間が大きく、かつ、隙間が制御されないからである。
【発明の概要】
【発明が解決しようとする課題】
【０００３】
本発明が解決する技術問題は、上記フロントパネルとドアとの不安定な間隙とそのことによるマイクロ波の漏れ、蒸気の漏れ、及びフロントパネルとドアとの間に発生する火花の現象の問題を解決することを目的とする、マイクロ波調理装置のドアインターロックスイッチを提供することにある。
【課題を解決するための手段】
【０００４】
上記技術問題を解決するために、本発明による技術方案は、ドアとドアフロントパネルとの間のロックに用いられるマイクロ波調理装置のドアインターロックスイッチにおいて、前記ドアに設けられたドアフックと、前記ドアフロントパネルに設けられたインターロック部品及び少なくとも１つのマイクロスイッチとを含み、前記インターロック部品は、ブラケットと、前記ブラケットに設けられ前記ブラケットに対して回転可能なカムと、前記カムを前記ブラケットにおいて復帰するための弾性部材とを含み、前記ドアフックには、位置決め板及びフック穴が設けられ、前記カムには、前記ドアフックのフック穴と係合可能なロックフックが設けられ、前記マイクロスイッチには、トリガーボタンが設けられ、前記ブラケットの両側には、前記マイクロスイッチを取り付けるための固定構造が設けられ、前記カムには、前記マイクロスイッチのトリガーボタンに当接するための突起部とアーク形タッチ部が設けられているマイクロ波調理装置のドアインターロックスイッチを提供する。
【０００５】
さらに、前記ブラケットの一側に円軸が突出し、前記カムは、前記円軸を外嵌する軸スリーブを含み、前記カムは、前記軸スリーブ及び前記円軸によって前記ブラケットに回転可能に接続されている。
【０００６】
さらに、前記ブラケットの円軸の端面に近接した位置には抜け防止バンプが設けられ、前記カムの軸スリーブの内側には前記抜け防止バンプを通過させることができる溝が設けられ、前記軸スリーブは前記円軸に外嵌し、且つ前記バンプは、前記軸スリーブの外側にある。
【０００７】
さらに、前記カムには、前記ドアフックのフック穴板の先端と当接可能な当接板が設けられ、前記当接板と前記ロックフックとの間に開口溝が形成され、前記ブラケットは、「Ｔ」形穴が設けられた先端板を有し、前記カムのロックフック及び当接板は、前記「Ｔ」形穴に正対して設けられている。
【０００８】
さらに、前記ブラケットは、さらにアーク形穴を有し、前記アーク形タッチ部は前記アーク形穴に突き通されて配置されている。
【０００９】
具体的に、前記固定構造は、横方向に突出する前記ブラケットの２つのピン及び２つのクリップを含み、各々の前記マイクロスイッチのそれぞれには前記ピンに互いに合致する２つの軸穴が設けられ、前記マイクロスイッチは、前記軸穴によって前記ピンを外嵌し、前記クリップは、前記マイクロスイッチの両側を係合している。
【００１０】
さらに、前記弾性部材は、ねじりバネであり、前記ブラケットには、第１接続穴が設けられ、前記カムには、第２接続穴が設けられ、前記ねじりバネは、一端が前記第１接続穴に挿着され、他端が前記第２接続穴に挿着されている。
【００１１】
本発明によるマイクロ波調理装置のドアインターロックスイッチの有益な効果は、下記の通りである。ドアに設けられた固定サイズのドアフックと、ドアフロントパネルの裏側のインターロック部品の中のカム上に設けられたロックフックと嵌合により、ドアが閉じられると、ドアフックがカムに突き当たってカムが回転し、一定の角度に回転すると、ドアフックがロックフックと係合する。弾性部材の作用により、カムは、ドアフックをドアフロントパネルへ向かって引っ張ることができ、ドアをぴんと張ったようにできる。この時に、ドアフックの中の位置決め板とドアフロントパネルが当接することで、ドアが引き続きドアフロントパネルへ近づけないようになり、ドアフロントパネルとドアとの間の距離を０．３〜３ｍｍ程度に制御できる。この距離は、マイクロ波の漏れ及び蒸気の漏れを効果的に防止するとともに、ドアとドアフロントパネルとの間の距離が近すぎることにより発生する火花の現象を防止することができる。
【００１２】
本発明が解決しようとする他の技術的課題は、ドアとドアフロントパネルを含み、前記ドアと前記ドアフロントパネルは、ドアインターロックシステムによりロック制御され、前記ドアインターロックシステムは、少なくとも２つの上記ドアインターロックスイッチを含むマイクロ波調理装置を提供することにある。
【００１３】
具体的に、前記ドアインターロックスイッチは２つであり、その１つの前記ドアインターロックスイッチには２つのマイクロスイッチが設けられ、もう１つの前記ドアインターロックスイッチには１つのマイクロスイッチが設けられ、前記３つのマイクロスイッチのうち、いずれか２つが常開マイクロスイッチで、他の１つが常閉マイクロスイッチであり、前記ドアが開かれると、前記カムの突起部又はアーク形タッチ部が前記ねじりバネの作用によりそれぞれの前記マイクロスイッチのトリガーボタンに接触せず、２つの常開マイクロスイッチがオン状態になり、常閉マイクロスイッチがオフ状態になり、この時に、システム全体がパワーオフ状態になり、マイクロ波調理装置が作動せず、前記ドアが閉じられると、前記ドアフックが前記カムに当接し、それぞれの前記マイクロスイッチのトリガーボタンがタッチされ、そのうちの常閉マイクロスイッチのトリガーボタンが先にタッチされることで、常閉マイクロスイッチがオンになり、さらに、２つの常開マイクロスイッチがオフになり、マイクロ波調理装置がこの時に待機状態になる。
【００１４】
又は、具体的に、前記ドアインターロックスイッチは２つであり、各々の前記ドアインターロックスイッチにそれぞれ２つのマイクロスイッチが設けられ、そのうちの１つが常閉マイクロスイッチで、もう１つが常開マイクロスイッチであり、前記ドアが開かれると、前記カムの突起部又はアーク形タッチ部が前記ねじりバネの作用によりそれぞれの前記マイクロスイッチに接触せず、２つの常開マイクロスイッチがオン状態になり、２つの常閉マイクロスイッチがオフ状態になり、この時に、システム全体がパワーオフ状態になり、マイクロ波調理装置が作動せず、前記ドアが閉じられると、前記ドアフックが前記カムに当接し、各前記マイクロスイッチのトリガーボタンがタッチされ、そのうちの常閉マイクロスイッチのトリガーボタンが先にタッチされることで、２つの常閉マイクロスイッチがオンになり、さらに、２つの常開マイクロスイッチがオフになり、マイクロ波調理装置がこの時に待機状態になる。
【発明の効果】
【００１５】
本発明によるマイクロ波調理装置の有益な効果は、下記の通りである。本発明にかかるマイクロ波調理装置は、上記ドアインターロックスイッチを採用しているので、ドアとドアフロントパネルとの間の距離制御性が良く、ドアヒンジシステムにサイズの不合格や磨耗が発生しても、ドアとドアフロントパネルとの間の距離が０．３〜３ｍｍ程度に効果的に制御可能であり、ドアヒンジシステムの問題を起因として引き起こしやすいドアとドアフロントパネルとの間の距離が制御不能な現象の発生が回避され、ドアとドアフロントパネルの間に距離が近すぎることにより容易に発生される火花、ドアとドアフロントパネルとの上部隙間が大きすぎることにより発生するマイクロ波の漏れ、蒸気の漏れといった問題が効果的に解決され、同時に、マイクロ波装置の電気システムの制御問題も解決される。
【図面の簡単な説明】
【００１６】
【図１】本発明の実施形態によるマイクロ波調理装置のドアインターロックシステムの実施態様１の分解構造模式図である。
【図２】本発明の実施形態によるマイクロ波調理装置のドアインターロックスイッチの分解構造模式図である。
【図３】本発明の実施形態によるマイクロ波調理装置のドアインターロックスイッチの分解構造模式図１である
【図４】本発明の実施形態によるマイクロ波調理装置のドアインターロックスイッチの分解構造模式図２である。
【図５】本発明の実施形態によるマイクロ波調理装置のドアインターロックスイッチに用いられるドアフックの立体構造模式図である。
【図６】本発明の実施形態によるマイクロ波調理装置のドアインターロックスイッチに用いられるブラケットの立体構造模式図１である。
【図７】本発明の実施形態によるマイクロ波調理装置のドアインターロックスイッチに用いられるブラケットの立体構造模式図２である。
【図８】本発明の実施形態によるマイクロ波調理装置のドアインターロックスイッチに用いられるカムの立体構造模式図１である。
【図９】本発明の実施形態によるマイクロ波調理装置のドアインターロックスイッチに用いられるカムの立体構造模式図２である。
【図１０】本発明の実施形態によるマイクロ波調理装置のドアインターロックスイッチがオンになった場合の正面構造模式図である。
【図１１】本発明の実施形態によるマイクロ波調理装置のドアインターロックスイッチがオンになった場合の背面構造模式図である。
【図１２】本発明の実施形態によるマイクロ波調理装置のドアインターロックスイッチがオフになった場合の正面構造模式図である。
【図１３】本発明の実施形態によるマイクロ波調理装置のドアインターロックスイッチがオフになった場合の背面構造模式図である。
【図１４】本発明の実施形態によるマイクロ波調理装置のドアインターロックシステムの実施態様２の分解構造模式図である。
【図１５】本発明の実施形態におけるマイクロスイッチの構造模式図である。
【発明を実施するための形態】
【００１７】
本発明の解決しようとする技術課題、技術方案及び有益な効果をさらに明らかにするために、以下、添付図面及び実施形態を組み合わせて本発明をさらに詳しく説明する。ここに記載されている具体的な実施形態は、本発明を解説するために過ぎず、本発明を限定するものではないと理解すべきである。
【００１８】
図１〜図６及び図１５を参照しながら、本発明によるマイクロ波調理装置のドアインターロックスイッチを説明する。マイクロ波調理装置のドアインターロックスイッチは、ドア１００とドアフロントパネル２００との間のロックに用いられるものである。このインターロックスイッチは、ドア１００に設けられたドアフック１と、ドアフロントパネル２００に設けられたインターロック部品２及び少なくとも１つのマイクロスイッチ３とを含む。インターロック部品２は、ブラケット２１と、ブラケット２１に設けられブラケット２１に対して回転可能なカム２２と、カム２２をブラケット２１において復帰させるための弾性部材２３とを含む。ドアフック１には、位置決め板１１及びフック穴１０が設けられている。カム２２には、ドアフック１のフック穴１０と係合可能なロックフック２２０が設けられている。マイクロスイッチ３には、トリガーボタン３０が設けられている。ブラケット２１の両側にはマイクロスイッチ３を取り付けるための固定構造２１０が設けられている。各マイクロスイッチ３は、それぞれ固定構造２１０によってブラケット２１に取り付けられている。カム２２には、マイクロスイッチ３のトリガーボタン３０に当接するための突起部２２４とアーク形タッチ部２２５が設けられている。ドア１００が閉じられると、具体的な構造設計により、マイクロ波調理装置の作動状態を制御するようにマイクロスイッチ３を制御することができる。
【００１９】
本発明によるマイクロ波調理装置のドアインターロックスイッチは、ドア１００の中のサイズが一定であるドアフック１と、ドアフロントパネル２００の裏側のインターロック部品２におけるカム２２の中のロックフック２２０と、を嵌合させることで、ドア１００が閉じられた場合に、ドアフック１の先端がカム２２に突き当たってそれを回転させ、カム２２が一定の角度に回転すると、ドアフック１がロックフック２２０と係合する。弾性部材２３の作用により、カム２２がドアフック１をドアフロントパネル２００へ向かって引っ張り、ドア１００がぴんと張られるようにできる。この時に、ドアフック１の中の位置決め板１１は、ドアフロントパネル２００と当接し、ドア１００が引き続きドアフロントパネル２００へ接近することを阻止し、ドアフロントパネル２００とドア１００との間の距離を０．３〜３ｍｍ程度に制御できる。この距離は、マイクロ波の漏れ及び蒸気の漏れを効果的に防止するとともに、ドア１００とドアフロントパネル２００との間の距離が近すぎることにより発生する火花の現象を防止することができる。
【００２０】
さらに、図６〜図９に示すように、本発明によるマイクロ波調理装置のドアインターロックスイッチの１つの具体的な実施形態として、ブラケット２１の一側には円軸２１１が突出し、カム２２には円軸２１１に外嵌可能な軸スリーブ２２１が設けられ、カム２２は、軸スリーブ２２１及び円軸２１１によってブラケット２１に回転可能に接続されている。これにより、ドアフック１の先端がカム２２に当接した時に、カム２２は、円軸２１１の周りでブラケット２１に対して一定の弧度に回転可能となると同時に、弾性部材２３の作用により、カム２２は、ドアフック１をドアフロントパネル２００の方向へ向かって引っ張り、ドア１００が自動的にぴんと張られるようにすることができる。そして、ドアフロントパネル２００とドア１００との間の距離は０．３〜３ｍｍ程度に制御される。
【００２１】
さらに、図７〜図１０に示すように、本発明によるマイクロ波調理装置のドアインターロックスイッチの１つの具体的な実施形態として、ブラケット２１の円軸２１１の端面近くの位置に抜け防止バンプ２１１１が設けられている。カム２１の軸スリーブ２２１の内側には、抜け防止バンプ２１１１を通過させることができる溝２２１１が設けられている。取り付ける際には、このバンプ２１１１を溝２２１１に位置合わせした後、カム２２をブラケット２１の方へ押す。軸スリーブ２２１が円軸２１１を外嵌した時に、一定の角度に回転することにより、バンプ２１１１を軸スリーブ２２１の外側に位置させることで、カム２２がブラケット２１の円軸２１１から滑落することがありえないことを保証することができる。構造が簡単かつ確実で、他の固定部材が無用で、取り付けが便利である。
【００２２】
さらに、図１、図５〜図８及び図１０〜図１３に示すように、本発明によるマイクロ波調理装置のドアインターロックスイッチの１つの具体的な実施形態として、カム２２には、ドアフック１のフック穴板１２の先端と当接可能な当接板２２３が設けられ、当接板２２３とロックフック２２０との間に開口溝２０３が形成されている。ブラケット２１は、「Ｔ」形穴２１３が設けられた先端板２１３を有し、ブラケット２１は、先端板２１３をによってドアフロントパネル２００の裏側に固定される。カム２２のロックフック２２０及び当接板２２３は、「Ｔ」形穴２１３０に正対して設けられる。ドアフック１の先端は、「Ｔ」形穴２１３０を通過して開口溝２０に位置合わせをし、そして当接板２２３に当接され、カム２２をブラケット２に対して回転させるとともに、ロックフック２２０を下側からフック穴１０を通過して係合させ、弾性部材２３の作用によりドア１００をドアフロントパネル２００へ向かって引っ張ってロックする。
【００２３】
さらに、図６及び図１３に示すように、本発明によるマイクロ波調理装置のドアインターロックスイッチの１つの具体的な実施形態として、ブラケット２１には、さらに、アーク形穴２１４が設けられ、アーク形タッチ部２２５はアーク形穴２１４の中に突き通されて配置されている。かくして、カム２２が回転すると、その突起部２２４及びアーク形タッチ部２２５が、ブラケット２１の両側に取り付けられたマイクロスイッチ３のトリガーボタン３１を同時にタッチすることができる、独創的な構造である。
【００２４】
さらに、図６、図７及び図１０〜図１３に示すように、本発明によるマイクロ波調理装置のドアインターロックスイッチの１つの具体的な実施形態として、各固定構造は、ブラケット２１から横方向に突出する２つのピン２１５及び２つのクリップ２１６を備える。各マイクロスイッチ３のそれぞれには、ピン２１５に互いに合致する２つの軸穴が設けられ、マイクロスイッチ２１５は軸穴によってピン２１５を外嵌し、クリップ２１６はマイクロスイッチ３の両側を係合している。このような固定構造及び固定方式により、マイクロスイッチ３の着脱が便利となり、固定後の接続が確実で、組立位置が正確である。
【００２５】
さらに、図１〜図４、図６、図７、図９、図１０及び図１２に示すように、本発明によるマイクロ波調理装置のドアインターロックスイッチの１つの具体的な実施形態として、弾性部材２３はねじりバネであり、ブラケット２１に第１接続穴２１２が設けられ、カム２２に第２接続穴２２２が設けられている。ねじりバネは、一端が第１接続穴２１２に挿着され、他端が第２接続穴２２２に挿着されている。このように、ねじりバネにより、ブラケット２１とカム２２との間に一定の引張力が発生し、カム２２を復帰させることが可能となる。取り付けを容易にするために、第１接続穴２１２は、例えば、三角形、四角形や他の形状の大きな穴のように、少し大きく設けられてもよい。
【００２６】
さらに、図８に示すように、本発明によるマイクロ波調理装置のドアインターロックスイッチの１つの具体的な実施形態として、ロックフック２２０の端部は、円筒状表面構造である。このような円筒状表面により、ロックフック２２０は、ドアを閉じる時に、ドアフック１のフック穴１０内に容易に掛けられ、ドアを開く時にも、フック穴１０から容易に抜け出せ、機能しなくなる現象が発生しない。
【００２７】
本発明は、さらに、マイクロ波調理装置を提供する。図１及び図１４に示すように、マイクロ波調理装置は、ドア１００とドアフロントパネル２００を備える。ドア１００とドアフロントパネル２００は、少なくとも２つの上記ドアインターロックスイッチを有するドアインターロックシステムによりロック制御される。無論、１つのドアインターロックスイッチに対応して２つのマイクロスイッチ３が取り付けられてもよく、ドアインターロックスイッチも２つに制限されず、３つや３つ以上であってもよく、マイクロスイッチ３は、３つに制限されず、４つや４つ以上であってもよい。
【００２８】
実施態様１
図１に示すように、ドアインターロックスイッチは２つである。そのうちの１つのドアインターロックスイッチに２つのマイクロスイッチ３が設けられ、もう１つのドアインターロックスイッチに１つのマイクロスイッチ３が設けられ、３つのマイクロスイッチ３のうち、そのいずれか２つが常開マイクロスイッチで、他の１つが常閉マイクロスイッチである。ドア１００が開かれると、カム２２の突起部２２４又はアーク形タッチ部２２５は、ねじりバネの作用により各マイクロスイッチ３のトリガーボタン３０に接触せず、２つの常開マイクロスイッチがオン状態になり、常閉マイクロスイッチがオフ状態になる。この時に、システム全体がパワーオフ状態になり、マイクロ波調理装置が作動しないことになる。一方、ドア１００が閉じられると、ドアフック１がカム２２に当接し、各マイクロスイッチ３のトリガーボタン３０がタッチされる。そのうちの常閉マイクロスイッチのトリガーボタンが先にタッチされることで、常閉マイクロスイッチがオンになる。そして、２つの常開マイクロスイッチがオフになり、マイクロ波調理装置がこの時に待機状態になる。
【００２９】
実施態様２
図１４に示すように、ドアインターロックスイッチは２つであるが、態様１とは異なり、各ドアインターロックスイッチのそれぞれに２つのマイクロスイッチ３が設けられ、そのうちの１つが常閉マイクロスイッチで、もう１つが常開マイクロスイッチである。即ち、２つのインターロックスイッチに合計４つのマイクロスイッチが備えられている。いずれか２つのマイクロスイッチ３を常開スイッチとし、残りの２つのマイクロスイッチ３を常閉スイッチとしてもよい。ドア１００が開かれると、カム２２の突起部２２４又はアーク形タッチ部２２５がねじりバネの作用により各マイクロスイッチ３に接触せず、２つの常開マイクロスイッチがオン状態になり、２つの常閉マイクロスイッチがオフ状態になる。この時に、システム全体がパワーオフ状態になり、マイクロ波調理装置が作動しないことになる。一方、ドア１００が閉じられると、ドアフック１がカム２２に当接し、各マイクロスイッチ３のトリガーボタンがタッチされる。そのうちの常閉マイクロスイッチのトリガーボタン３０が先にタッチされることで、２つの常閉マイクロスイッチがオンになる。そして、２つの常開マイクロスイッチがオフになり、マイクロ波調理装置がこの時に待機状態になる。
【００３０】
本発明によるマイクロ波調理装置は、前記ドアインターロックシステムを採用しているので、ドア１００とドアフロントパネル２００との間の距離を好適に制御できる。たとえドアヒンジシステムにサイズ不良や磨耗が発生した時でも、ドア１００とドアフロントパネル２００との間の距離を０．３〜３ｍｍ程度に好適に制御可能であり、ドアヒンジシステムの不具合により容易にもたらされるドア１００とドアフロントパネル２００との間の距離の制御不能な現象の発生が回避される。ドア１００とドアフロントパネル２００との間に距離が近すぎることにより容易に発生する火花、ドア１００とドアフロントパネル２００との上部の隙間が大きすぎることにより発生されるマイクロ波の漏れ、蒸気の漏れといった問題が効果的に解決される。同時にマイクロ波装置の電気システムの制御の問題も好適に解決される。
【００３１】
以上、本発明の好ましい実施形態のみを記載したが、本発明を限定するものではなく、本発明の精神及び原則内になされたいずれの修正、等価の置き換えや改良なども、本発明の特許請求の範囲内に含まれるべきである。
【図１】
2016500802.tif 000003
【図２】
2016500802.tif 000004
【図３】
2016500802.tif 000005
【図４】
2016500802.tif 000006
【図５】
2016500802.tif 000007
【図６】
2016500802.tif 000008
【図７】
2016500802.tif 000009
【図８】
2016500802.tif 000010
【図９】
2016500802.tif 000011
【図１０】
2016500802.tif 000012
【図１１】
2016500802.tif 000013
【図１２】
2016500802.tif 000014
【図１３】
2016500802.tif 000015
【図１４】
2016500802.tif 000016
【図１５】
2016500802.tif 000017
【国際調査報告】
2016500802.tif 000018
2016500802.tif 000019
2016500802.tif 000020
2016500802.tif 000021
2016500802.tif 000022
2016500802.tif 000023